(57)【要約】【課題】  球払出装置から払い出された球が不必要に下球皿に流下するのを防止する。【解決手段】  本発明は、弾球遊技機における球排出経路機構２８であって、球排出経路機構２８は裏セット盤２０と蓋部材６６とから成り、球を受け止める球受け止め部８１と、球を上球皿１４に排出させるための上球皿排出経路６３と、余剰球をバイパス経路６５を介して下球皿１６に排出するための下球皿排出経路６４とから構成され、球受け止め部８１と下球皿排出経路６４の間に仕切壁６７が設けられ、バイパス経路６５は、仕切壁６７の前方をバイパス可能な前方バイパス路７３と、仕切壁６７の後方をバイパス可能な後方バイパス路７４とから構成され、前方バイパス路７３は裏セット盤２０において前方に突出して形成され、後方バイパス路７４は蓋部材６６において後方に突出して形成されていることを特徴とする。【選択図】  図５ 
2005160522.tif 000002
【特許請求の範囲】
【請求項１】
遊技盤の下方に設けられた上球皿及び下球皿と、前記遊技盤の背面側の裏セット盤に設けられた球払出装置と、該球払出装置から払い出された球を前記上球皿及び前記下球皿に排出させるための球排出経路機構とを有する弾球遊技機であって、
前記球排出経路機構は裏セット盤と蓋部材とから成り、
前記球払出装置から払い出された球を受け止める球受け止め部と、
該球受け止め部により受け止めた球を上球皿に排出させるための上球皿排出経路と、
前記球受け止め部から溢れ出た余剰球をバイパス経路を介して前記下球皿に排出するための下球皿排出経路とから構成され、
前記球受け止め部と前記下球皿排出経路の間には仕切壁が設けられ、
前記バイパス経路は、前記仕切壁の前方をバイパス可能な前方バイパス路と、前記仕切壁の後方をバイパス可能な後方バイパス路とから構成され、前記前方バイパス路は前記裏セット盤において前方に突出して形成され、前記後方バイパス路は前記蓋部材において後方に突出して形成されていることを特徴とする弾球遊技機における球排出経路機構。
【発明の詳細な説明】
【技術分野】
【０００１】
本発明は、パチンコ遊技機等の弾球遊技機に関し、特に、球払出装置から払い出された球を上球皿又は下球皿に排出させるための球排出経路機構に関する。
【背景技術】
【０００２】
従来、パチンコ遊技機等、球を遊技媒体として使用する弾球遊技機には、裏セット盤に球払出装置が設けられており、球払出装置は、遊技盤前面側に設けられた入賞装置への遊技球の入賞を条件に所定数量の賞球を払い出したり、或いは、ＣＲ機においてＣＲ操作パネルの球貸しボタンを押すことにより所定の金額分の貸し球を払い出したりするようになっている。
【０００３】
そして、裏セット盤には、球払出装置の下方に上球皿排出経路及び下球皿排出経路が形成されており、球払出装置から払い出された球は、前記上球皿排出経路を介して遊技盤前面側に設けられた上球皿に排出され、又は、その上球皿が満杯状態で上球皿排出経路の上流側の球受け止め部まで球で充満されている時にさらに球払出装置から球が払い出された場合には、前記球受け止め部から溢れ出た余剰球が前記下球皿排出経路を介して前記上球皿の下方に設けられた下球皿に排出されるようになっている。
（例えば、特許文献１参照）。
【０００４】
【特許文献１】特開２００３−１６４６２６号公報
【発明の開示】
【発明が解決しようとする課題】
【０００５】
しかしながら、上記した従来の弾球遊技機における球排出経路機構では、球受け止め部と下球皿排出経路との間の仕切りが不十分であったため、球受け止め部が球で充満されていない時でも、球払出装置から払い出された球が下球皿排出経路に零れ落ち、下球皿に球が流下してしまうことがあった。この場合、遊技者は下球皿に流下した球をその都度、手で上球皿に移動させなければならず、この移動作業は遊技者にとって非常に煩わしく、遊技者が遊技に集中できなくなるといった問題があった。
【０００６】
本発明は、上記した課題を解決すべくなされたものであり、球払出装置から払い出された球が不必要に下球皿に流下するのを防止することができ、遊技者に煩わしさを感じさせることなく、遊技に集中させることが可能な弾球遊技機における球排出経路機構を提供するものである。
【課題を解決するための手段】
【０００７】
本発明は、遊技盤５の下方に設けられた上球皿１４及び下球皿１６と、遊技盤５の背面側の裏セット盤２０に設けられた球払出装置４５と、球払出装置４５から払い出された上球皿１４及び下球皿１６に排出させるための球排出経路機構２８とを有する弾球遊技機であって、球排出経路機構２８は裏セット盤２０と蓋部材６６とから成り、球払出装置４５から払い出された球を受け止める球受け止め部８１と、球受け止め部８１により受け止めた球を上球皿１４に排出させるための上球皿排出経路６３と、球受け止め部８１から溢れ出た余剰球をバイパス経路６５を介して下球皿１６に排出するための下球皿排出経路６４とから構成され、球受け止め部８１と下球皿排出経路６４の間には仕切壁６７が設けられ、バイパス経路６５は、仕切壁６７の前方をバイパス可能な前方バイパス路７３と、仕切壁６７の後方をバイパス可能な後方バイパス路７４とから構成され、前方バイパス路７３は裏セット盤２０において前方に突出して形成され、後方バイパス路７４は蓋部材６６において後方に突出して形成されていることを特徴とする。
【発明の効果】
【０００８】
本発明によれば、球受け止め部と下球皿排出経路の間に仕切壁が設けられているため、球払出装置から払い出された球が不必要に下球皿排出経路側に零れ落ち、下球皿に流下するのを防止することができる。したがって、遊技者は、下球皿に零れ落ちた球を上球皿に移動させる煩わしい作業をする必要がなくなり、遊技に集中することができる。
【発明を実施するための最良の形態】
【０００９】
以下、図面を参照しつつ、本発明の実施の形態について説明する。なお、以下の説明では、本発明をパチンコ遊技機に適用した場合について説明する。
【００１０】
先ず、図１〜図３を参照しつつ、パチンコ遊技機の概略構成について説明する。ここで、図１はパチンコ遊技機を示す正面図、図２はパチンコ遊技機の裏セット盤から回路基板を取り外した状態を示す背面図、図３はその裏セット盤における球貯留供給機構の右端部、球案内払出機構及び球排出経路機構を示す拡大背面図である。なお、図１及び図２において、実際のガラス扉及び上球皿の最大開放角度は１００度程度であるが、便宜上ガラス扉及び上球皿を１８０度開放させて示している。
【００１１】
このパチンコ遊技機は、方形枠状の外枠１と、外枠１の前面に設けられた前枠２とを備えており、前枠２は、外枠１の正面左側上下に設けられたヒンジ金具３ａ，３ｂにより開閉可能に設けられ、外枠１の正面右側に設けられた施錠具４により閉鎖状態に保持されるようになっている。また、前枠２内には、遊技盤５が収容され、遊技盤５の前面側に、図柄表示装置６、中央飾り７、始動入賞口８、大入賞口９、入賞口１０等の各種遊技部品がそれぞれ配設され、遊技領域１１が形成されている。さらに、遊技領域１１の最下部には、上記各入賞口８，９，１０に入賞せずに落下したアウト球を排出させるアウト口１２が設けられており、アウト口１２に集められたアウト球は遊技盤５の裏面側を通って機外に排出されるようになっている。
【００１２】
前枠２の正面側には、前枠２に対して開閉且つ着脱可能にガラス扉１３が設けられ、ガラス扉１３により遊技領域１１の前面側が閉鎖された状態で保持されるようになっている。前枠２のガラス扉１３の下方には上球皿１４が前方に突出して設けられ、上球皿１４の正面左側上部には上球皿１４に球を排出するための排出口１５が設けられている。また、上球皿１４の下方には下球皿１６が前方に突出して設けられ、下球皿１６の中央部には下球皿１４に球を排出するための排出口２５が設けられている。さらに、下球皿１６には正面右側に発射ハンドル１７が前方に突出して設けられ、発射ハンドル１７を時計回り方向に回動させると、上球皿１４から供給された遊技球が遊技領域１１に送出されるようになっている。さらにまた、遊技盤５上部の正面左側には球抜き操作孔（図示せず）が穿設されている。
【００１３】
前枠２の背面側には裏セット盤２０が設けられ、その裏セット盤２０は、背面側から見て右側（以降、左右方向はすべて背面側から見た方向を言うものとする。）の上下に設置されたヒンジ２１ａ，２１ｂにより開閉可能に設けられ、さらに、閉鎖レバー２２ａ，２２ｂ，２２ｃにより遊技盤５の裏面を覆うように閉鎖状態に保持されるようになっている。また、裏セット盤２０は外枠１より一回り小さい方形の枠体２３をベースにして構成され、枠体２３の中央部には矩形の開口部２４が形成されている。
【００１４】
裏セット盤２０には、開口部２４の上方に配設され、予備賞球の貯留及び供給処理を行う球貯留供給機構２６と、開口部２４の右方に配設され、球の案内及び払い出し処理を行う球案内払出機構２７と、球案内払出機構２７の下方に配設され、球案内払出機構２７から払い出された球を上球皿１４又は下球皿１６に排出するための球排出経路機構２８とが取付けられている。
【００１５】
球貯留供給機構２６は、予備賞球を貯留するタンク部材３５と、タンク部材３５内に貯留された予備賞球を整列させて球案内払出機構２７へと流下させる整列樋部材３６とを有して構成されている。タンク部材３５は、上面が開放された箱状を成しており、底面の左側前方には球出口（図示せず）が開口されており、底面は球出口に向かって緩く左傾及び前傾されている。整列樋部材３６は左右方向に長い樋形状を成しており、その内側には右方向に約４度の下り勾配で傾斜する前後２列の流路（図示せず）が形成されている。そして、整列樋部材３６は、左側端部においてタンク部材３５の球出口と連通し、右側端部には下方に折曲された偏向出口３７が形成され、偏向出口３７は下方に向かって開口されている。
【００１６】
また、整列樋部材３６の右端部近傍には、球止め機構３８が設けられ、球止め機構３８は、整列樋部材３６の右側端部近傍の上方を覆うカバー部材（図示せず）と、該カバー部材に対して支軸３９を支点として回動可能に取付けられた球止め部材４０とから構成されている。そして、球止め部材４０を支軸３９を支点に反時計回りに回転させると、その先端部が前記カバー部材を挿通して整列樋部材３６の内部に突出し、整列樋部材３６内における予備賞球の流れを停止させることができるようになっている。
【００１７】
球案内払出機構２７は、整列樋部材３６の偏向出口３７の下方に配設された擬似球有り状態創出機構４１及び球切れ検出スイッチ４２と、球切れ検出スイッチ４２の下流側に設けられたカーブレール部材４３及び球抜き機構４４と、カーブレール部材４３の下方に設けられた球払出装置４５とを有して構成され、カーブレール部材４３及び球抜き機構４４の予備賞球が通過する部分の背面側は裏蓋４６により閉鎖されている。擬似球有り状態創出機構４１は、押圧部材６１により球切れ検出スイッチ４２を押圧し、球案内払出機構２７内にあたかも予備賞球が存在しているかのような状態を創出させ、球払出装置４５を作動可能な状態にするための機構であり、球払出装置４５のメンテナンス時等に使用される。また、カーブレール部材４３には、前後２列で賞球待機通路４７が蛇行して形成されており、賞球待機通路４７の上部には右方湾曲部４８が形成されており、その右方湾曲部４８の右側壁部は切欠されている。
【００１８】
球抜き機構４４は、枠体２３に揺動可能に枢支される流路切替部材４９と、流路切替部材４９の上方に位置し、その揺動操作を行う操作部材５０と、流路切替部材４９の下方に形成された球抜き通路（図示せず）とを有して構成され、該球抜き通路は、裏セット盤２０（枠体２３）の前面の遊技盤５側に形成された球通路（図示せず）と連通しており、前記球抜き通路に流下した球はこの球通路を流下して遊技機外に排出されるようになっている。流路切替部材４９は、賞球待機通路４７の切欠された右側壁に合致する形状を成す経路切替部（図示せず）と、後述する操作部材５０の係合突起部５１に係合する閉止保持係合孔５２とを有して構成され、流路切替部材４９には、その自重により時計回りの回転モーメントが作用するようになっている。
【００１９】
操作部材５０には前後方向に揺動自在に枢着されたレバー部材５３が設けられており、レバー部材５３の下端部には円筒形状の係合突起部５１が後方に突出して形成されている。また、レバー部材５３の上端部５４は右方に延出して形成されており、その上端部５４は前記球抜き操作孔から挿入される針金状の操作ピン（図示せず）によって後方に押圧可能な位置に配設されている。そして、例えば、この操作ピンを前記球抜き操作孔に挿入して、レバー部材５３の上端部５４を押圧し、レバー部材５３に対して後方に力を加えると、係合突起部５１が前方へ揺動変位し、係合突起部５１と閉止保持係合孔５２との係合状態が解除され、流路切替部材４９が反時計回りに回転し、賞球待機通路４７の右方湾曲部４８の右側壁部分が開放され、この部分より上方に貯留又は待機していた予備賞球が前記球抜き通路を通って遊技機外に排出されるようになっている。
【００２０】
球払出装置４５は、カーブレール部４３の下方に設けられる賞球カセット５５と、賞球カセット５５の下方に設けられ賞球検出センサ５６ａ，５６ｂとから構成されている。賞球カセット５５の上部中央には球受容部材５７が設けられ、球受容部材５７は賞球待機通路４７に連通するように形成されている。また、球受容部材５７の下方には、前後２段のインペラ５８ｂ（後方のインペラのみ図示）と、インペラを回動させるためのステッピングモータ（図示せず）とが設けられており、球払出装置４５の下部には左右に賞球を払い出す左側払出口５９ａ、右側払出口５９ｂ（図５参照）がそれぞれ形成されている。
【００２１】
前後のインペラ５８ｂにはそれぞれ１２０度ピッチで３個の球受け凹部６０ｂ（後方の球受け凹部のみ図示）が形成されており、前後のインペラ５８ｂは球受け凹部６０ｂの位置が６０度オフセットするように設けられている。これにより、球受容部材５７に流入した予備賞球は、前後のインペラ５８ｂの球受け凹部６０ｂに交互に受け入れられ、インペラ５８ｂの回動に従って左右いずれかの払出口５９ａ，５９ｂから払い出されるようになっている。
【００２２】
賞球検出センサ５６ａ，５６ｂは、賞球カセット５５の左右の払出口５９ａ，５９ｂの下方にそれぞれ着脱自在に取付けられ、各払出口５９ａ，５９ｂから払い出された賞球が通過可能に構成されている。
【００２３】
次に、図３及び図４〜図８を参照しつつ、球排出経路機構２８について説明する。ここで、図４は球排出経路機構２８の要部を示す斜視図であり、便宜上、蓋部材６６を左右に開いた状態で示している。また、図５は球排出経路機構２６の上部を示す背面図であり、図６は図５のＡ−Ａ矢視図、図７は図５のＢ−Ｂ矢視図、図８は図５のＣ−Ｃ矢視図をそれぞれ示している。
【００２４】
球排出経路機構２８は、球払出装置４５から払い出された球を受け止める球受け止め部８１と、球受け止め部８１により受け止めた球を上球皿１４の排出口１５に導く上球皿排出経路６３と、下球皿１６の排出口２５に通じる下球皿排出経路６４と、球受け止め部８１から下球皿排出経路６４に通じるバイパス経路６５と、球排出経路機構２８の背面側を閉塞する蓋部材６６とから構成されている。球受け止め部８１と下球皿排出経路６４の間の上下方向は仕切壁６７により完全に仕切られており、仕切壁６７はバイパス経路６５以外の経路を通って球受け止め部８１から下球皿排出経路６４へ球が流下するのを防止できるようになっている。また、球排出経路機構２８には、球払出装置４５の左側払出口５９ａの下方において左下に傾斜した左側球受け案内部８２ａが設けられ、球払出装置４５の右側払出口５９ｂの下方において右下に傾斜した右側球受け案内部８２ｂが設けられており、球払出装置４５から払い出された球を球受け止め部８１に案内するようになっている。
【００２５】
球受け止め部８１は、左側球受け案内部８２ａの下方の蓋部材６６側に固定された左球受部７１と、右側球受け案内部８２ｂの下方の裏セット盤２０側に固定された右球受部７０とから構成されており、左球受部７１及び右球受部７０はいずれも弾性材料製であり、球の跳ね返りを抑止できるようになっている。左球受部７１は右球受部７０から流下した球を受けることが可能なように右方に向かって左傾して設けられ、その上端部には右方に延出する庇部７２が形成され、左球受部７１の上方に球が乗り上がるのを防止できるようになっている。また、右球受部７０は受けた球を左側に流下可能なように左傾して形成されている。
【００２６】
上球皿排出経路６３は、球受け止め部８１から流下した球を前枠２側に流下可能なように裏セット盤２０側に形成された賞球出口（セット盤側経路）６８と、賞球出口６８から流下したきた球を上球皿１４側に流下可能なように前枠２側に形成された連通孔（前枠側経路）６９と、上球皿１４側への排出口１５とから構成されている。
【００２７】
バイパス経路６５は、仕切壁６７の前方をバイパス可能な前方バイパス路７３と、仕切壁６７の後方をバイパス可能な後方バイパス路７４とから構成されている。前方バイパス路７３は、裏セット盤２０において前方に突出して設けられ、賞球出口６８の上方から緩く左方に傾斜して形成されている。また、後方バイパス路７４は、蓋部材６６において後方に突出して設けられ、前方バイパス路７３に対向するように緩く左方に傾斜して形成されている。さらに、図８に良く示されているように、前方バイパス路７３及び後方バイパス路７４の終端部にはそれぞれ、下球皿排出経路６４に向かって傾斜部８３ａ，８３ｂが形成され、バイパス経路６５の終端部まで流下してきた球が停留することなく下球皿排出経路６４へ流下できるようになっている。
【００２８】
下球皿排出経路６４は、仕切壁６７から左方に緩く傾斜した後、裏セット盤２０の下端中央部に設けられた賞球バケット７５に向かって下方に形成されている。賞球バケット７５は上面が開放された箱状をなし、その底面は下球皿１６の排出口２５に向かって前傾して形成されている。また、下球皿排出経路６４の下部には、満杯検出レバー７６がねじりバネ７７によって内方に付勢され、満杯検出レバー７６の外方には満杯検出レバー７６が当接可能な位置に満杯検出スイッチ７８が取り付けられている。これにより、下球皿１６が賞球で一杯となり、さらに賞球バケット７５及び下球皿排出経路６４の下部まで賞球が充満した場合、満杯検出レバー７６が賞球により外方に押圧されて揺動し、満杯検出スイッチ７８に当接し、賞球の満杯状態が検出されるようになっている。
【００２９】
以下、主に、図２〜図８を参照しつつ、前記パチンコ遊技機における球の流れについて説明する。
【００３０】
所定の条件の下、具体的には、各入賞口８，９，１０等への遊技球の入賞により、或いは、ＣＲ機による球貸し操作により、球払出装置４５は、回路基板（図示せず）からの払出指令信号に基づいて前記ステッピングモータを作動させる。そして、各入賞口８，９，１０等へ遊技球が入賞した場合には、前後のインペラ５８ｂ（後側のみ図示）を時計回りに回転駆動させ、また、ＣＲ機において球貸し操作をした場合には、反時計回りにインペラ５８ｂを回転駆動させる。
【００３１】
そうすると、所定個数の予備賞球が、前後の球受け凹部６０ｂ（後側のみ図示）に交互に受け入れられた後、各インペラ５８ｂの回動により、左右いずれかの払出口５９ａ，５９ｂに振分けられ、賞球検出センサ５６ａ，５６ｂを通って球排出経路機構２８に払い出される。この時、球払出装置４５は、球切れ検出スイッチ４２が予備賞球により押圧されている間は作動可能な状態となり、また、予備賞球がなくなり、球切れ検出スイッチ４２が押圧されなくなった時には、賞球の球払出し動作が停止される。
【００３２】
賞球カセット５５から払い出された賞球は、左側球受け案内部８２ａ若しくは右側球受け案内部８２ｂによって右球受部７０に落下する。右球受部７０は左傾して形成されているため、受け止めた球を、左球受部７１に向けて流下させる。左球受部７１は賞球出口６８に球を案内するように傾斜して形成されており、また、左球受部７１には上方に球が乗り上げないように庇部７２が形成されており、さらに、球受け止め部８１と下球皿排出経路６４との間には仕切壁６７が形成されているため、賞球カセット５５から払い出された賞球は、下球皿排出経路６４側に零れ落ちることはなく、賞球出口６８に円滑且つ確実に導かれる。
【００３３】
一方、上球皿１４が賞球で一杯になり、さらに連通孔６９及び賞球出口６８の上端まで賞球が充満した状態で、賞球カセット５５からさらに賞球が払い出された場合には、その賞球は余剰球として前方バイパス路７３、後方バイパス路７４を通って下球皿排出経路６４側に溢れ出る。この時、球受け止め部８１と下球皿排出経路６４との間に仕切壁６７が形成されているため、余剰球は、容易且つ円滑に、前方バイパス路７３、後方バイパス路７４に流入し、球受け止め部８１から下球皿排出経路６４に移動するようになる。
【００３４】
そして、下球皿排出経路６４に溢れ出た余剰球は賞球バケット７５に流下し、排出口２５を通って下球皿１６に排出される。このように、球受け止め部８１及び上皿球排出経路６３が賞球で満杯となった時に、賞球カセット５５からさらに賞球が払い出されたとしても、その賞球はバイパス経路６５を通り、下球皿排出経路６４を流下し、下球皿１６に排出されるため、遊技が中断されることはない。
【００３５】
なお、上記した実施の形態では、仕切壁６７により球受け止め部８１と下球皿排出経路６４の間の上下方向が完全に仕切られている場合について説明したが、上下方向は必ずしも完全に仕切られていなくてもよく、例えば、仕切壁６７の上方に球の直径と同程度又はそれ以下の僅かな隙間が形成されていてもよい。
【００３６】
また、上記実施の形態では、左右２方向に払出す方式の球払出装置４５について説明したが、これは単なる例示であり、本発明は、インペラを一方向に回転させ、球を一方向に払出す方式の球払出装置にも適用可能である。
【００３７】
さらに、本発明は、タンク部材３５から直接、球払出装置４５に予備賞球が流下するように構成されたパチンコ遊技機にも適用可能である。
【００３８】
さらにまた、本発明は、アレンジボール遊技機や雀球遊技機等、パチンコ遊技機以外の遊技機にも適用可能であることは言う迄もない。
【図面の簡単な説明】
【００３９】
【図１】本発明の実施の形態に係るパチンコ遊技機を示す正面図である。
【図２】本発明の実施の形態に係るパチンコ遊技機を示す背面図である。
【図３】本発明の実施の形態における裏セット盤の要部を示す拡大背面図である。
【図４】本発明の実施の形態に係る球排出経路機構を示す斜視図である。
【図５】本発明の実施の形態に係る球排出経路機構を示す拡大背面図である。
【図６】図５のＡ−Ａ矢視図である。
【図７】図５のＢ−Ｂ矢視図である。
【図８】図５のＣ−Ｃ矢視図である。
【符号の説明】
【００４０】
５          遊技盤
１４        上球皿
１６        下球皿
２０        裏セット盤
４５        球払出装置
６３        上球皿排出経路
６４        下球皿排出経路
６５        バイパス経路
６６        蓋部材
６７        仕切壁
７３        前方バイパス路
７４        後方バイパス路
８１        球受け止め部
【図１】
2005160522.tif 000003
【図２】
2005160522.tif 000004
【図３】
2005160522.tif 000005
【図４】
2005160522.tif 000006
【図５】
2005160522.tif 000007
【図６】
2005160522.tif 000008
【図７】
2005160522.tif 000009
【図８】
2005160522.tif 000010